(57)【特許請求の範囲】
【請求項１】
音声を表す音声データを１つ以上含むデータストリームを取得し、取得したデータストリームを構成する複数のパケットのうち、前記音声データが存在する範囲を示す範囲識別データを含むパケットを第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、を備え、
前記間引き手段は、前記第１のグループに属するパケットを前記第１の記憶領域に格納し、前記第２のグループに属するパケットを第２の記憶領域に格納する、
ことを特徴とするデータストリーム記録装置。
【請求項２】
各々の前記音声データは、それぞれ１個のＰＥＳ（Packetized Elementary Stream）パケットに属しており、
前記範囲識別データは、前記データストリーム内で前記ＰＥＳパケットが存在する範囲を示すペイロードユニットスタートインジケータより構成されている、
ことを特徴とする請求項１に記載のデータストリーム記録装置。
【請求項３】
前記間引き手段は、前記範囲識別データを含むパケットのうち更に所定の条件を満たすパケットを第１のグループに振り分け、前記条件を満たさないパケットを第２のグループに振り分ける、
ことを特徴とする請求項１又は２に記載のデータストリーム記録装置。
【請求項４】
前記間引き手段は、前記データストリームを所定の時間長毎に区切って得られる各区間に存在する、前記範囲識別データを含むパケットのうち、各前記区間に共通の所定の条件を更に満たすパケットを第１のグループに振り分け、前記条件を満たさないパケットを第２のグループに振り分ける、
ことを特徴とする請求項１又は２に記載のデータストリーム記録装置。
【請求項５】
前記間引き手段は、前記第１のグループに振り分けられた前記パケットが含む範囲識別データが示す範囲内にあるパケットも、更に第１のグループに振り分ける、
ことを特徴とする請求項３又は４に記載のデータストリーム記録装置。
【請求項６】
前記間引き手段は、前記第１又は第２のグループに振り分けられたパケットを前記第１及び第２の記憶領域より読み出し、読み出したパケットに基づいて前記データストリームを復元する合成手段を備える、
ことを特徴とする請求項１乃至５のいずれか１項に記載のデータストリーム記録装置。
【請求項７】
前記間引き手段は、前記第１又は第２のグループに振り分けられたパケットが前記データストリーム内で占めていた位置を表す情報を生成して前記第１又は第２の記憶領域に格納する、
ことを特徴とする請求項１乃至６のいずれか１項に記載のデータストリーム記録装置。
【請求項８】
前記間引き手段は、取得した前記データストリームを、前記第１のグループに振り分けられたパケットがダミー用パケットへと置換された置換済みデータストリームへと変換して、前記第２の記憶領域に格納する、
ことを特徴とする請求項１乃至７のいずれか１項に記載のデータストリーム記録装置。
【請求項９】
前記間引き手段はプロセッサを備え、前記プロセッサは、所定のプログラムを実行することにより、前記第１の記憶領域にアクセスする、
ことを特徴とする請求項１乃至８のいずれか１項に記載のデータストリーム記録装置。
【請求項１０】
前記第１の記憶手段及び前記間引き手段は、前記プロセッサが所定のプログラムを実行することによりデータの伝送が可能となるバスを介して互いに接続されている、
ことを特徴とする請求項９に記載のデータストリーム記録装置。
【請求項１１】
前記間引き手段は、前記第１及び／又は第２のグループに振り分けられたパケットを暗号化して前記第１及び／又は第２の記憶領域に格納する、
ことを特徴とする請求項１乃至１０のいずれか１項に記載のデータストリーム記録装置。
【請求項１２】
音声を表す音声データを１つ以上含むデータストリームを取得し、取得したデータストリームを構成する複数のパケットのうち、前記音声データが存在する範囲を示す範囲識別データを含むパケットを第１のグループに振り分け、残余のパケットを第２のグループに振り分け、
前記第１のグループに属するパケットを、所定のアクセス装置以外からのアクセスを実質的に阻止する第１の記憶領域に格納し、
前記第２のグループに属するパケットを第２の記憶領域に格納する、
ことを特徴とするデータストリーム記録方法。
【請求項１３】
各々の前記音声データは、それぞれ１個のＰＥＳ（Packetized Elementary Stream）パケットに属しており、
前記範囲識別データは、前記データストリーム内で前記ＰＥＳパケットが存在する範囲を示すペイロードユニットスタートインジケータより構成されている、
ことを特徴とする請求項１２に記載のデータストリーム記録方法。
【請求項１４】
コンピュータを、
音声を表す音声データを１つ以上含むデータストリームを取得し、取得したデータストリームを構成する複数のパケットのうち、前記音声データが存在する範囲を示す範囲識別データを含むパケットを第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、して機能させるためのプログラムであって、
前記間引き手段は、前記第１のグループに属するパケットを前記第１の記憶領域に格納し、前記第２のグループに属するパケットを第２の記憶領域に格納する、
ことを特徴とするプログラム。
【発明の詳細な説明】
【０００１】
【発明の属する技術分野】
この発明は、データストリーム記録装置、データストリーム記録方法及びプログラムに関する。
【０００２】
【従来の技術】
画像や音声などのコンテンツを、コンテンツを表すデータを含むパケットが連続したものからなるデータストリームの形で放送するデジタル放送が利用されている。
【０００３】
デジタル放送されたコンテンツは、デジタル形式のデータとして記憶装置に蓄積することができ、蓄積の際にデータの劣化が非常に起こりにくい。
このため、デジタル放送されたコンテンツにかかる著作権などの権利の保護を図るための技術が用いられている。具体的には、コンテンツを表すデータを暗号化した上で蓄積する手法がある。
【０００４】
【発明が解決しようとする課題】
しかし、暗号化の手法が攻撃に対して十分な強度を持っていないと、暗号化されたデータは復号鍵を知らない者によっても容易に復号化されてしまい、データの十分な保護が図れない。
【０００５】
この発明は、上記実状に鑑みてなされたものであり、データの保護が十分に図られるようにするためのデータストリーム記録装置及びデータストリーム記録方法を提供することを目的とする。
【０００６】
【課題を解決するための手段】
上記目的を達成するため、この発明の第１の観点に係るデータストリーム記録装置は、
音声を表す音声データを１つ以上含むデータストリームを取得し、取得したデータストリームを構成する複数のパケットのうち、前記音声データが存在する範囲を示す範囲識別データを含むパケットを第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、を備え、
前記間引き手段は、前記第１のグループに属するパケットを前記第１の記憶領域に格納し、前記第２のグループに属するパケットを第２の記憶領域に格納する、
ことを特徴とする。
【０００７】
各々の前記音声データは、それぞれ１個のＰＥＳ（Packetized Elementary Stream）パケットに属していてもよい。
この場合、前記範囲識別データは、前記データストリーム内で前記ＰＥＳパケットが存在する範囲を示すペイロードユニットスタートインジケータより構成されていてもよい。
【０００８】
前記間引き手段は、前記範囲識別データを含むパケットのうち更に所定の条件を満たすパケットを第１のグループに振り分け、前記条件を満たさないパケットを第２のグループに振り分けるものであってもよい。
【０００９】
前記間引き手段は、前記データストリームを所定の時間長毎に区切って得られる各区間に存在する、前記範囲識別データを含むパケットのうち、各前記区間に共通の所定の条件を更に満たすパケットを第１のグループに振り分け、前記条件を満たさないパケットを第２のグループに振り分けるものであってもよい。
【００１０】
前記間引き手段は、前記第１のグループに振り分けられた前記パケットが含む範囲識別データが示す範囲内にあるパケットも、更に第１のグループに振り分けるようにしてもよい。
【００１１】
前記間引き手段は、前記第１又は第２のグループに振り分けられたパケットを前記第１及び第２の記憶領域より読み出し、読み出したパケットに基づいて前記データストリームを復元する合成手段を備えるものであってもよい。
【００１２】
前記間引き手段は、前記第１又は第２のグループに振り分けられたパケットが前記データストリーム内で占めていた位置を表す情報を生成して前記第１又は第２の記憶領域に格納するものであってもよい。
【００１３】
前記間引き手段は、取得した前記データストリームを、前記第１のグループに振り分けられたパケットがダミー用パケットへと置換された置換済みデータストリームへと変換して、前記第２の記憶領域に格納するものであってもよい。
【００１４】
前記間引き手段はプロセッサを備え、前記プロセッサは、所定のプログラムを実行することにより、前記第１の記憶領域にアクセスするものであってもよい。
【００１５】
前記第１の記憶手段及び前記間引き手段は、前記プロセッサが所定のプログラムを実行することによりデータの伝送が可能となるバスを介して互いに接続されているものであってもよい。
【００１６】
前記間引き手段は、前記第１及び／又は第２のグループに振り分けられたパケットを暗号化して前記第１及び／又は第２の記憶領域に格納するものであってもよい。
【００１７】
また、この発明の第２の観点に係るデータストリーム記録方法は、
音声を表す音声データを１つ以上含むデータストリームを取得し、取得したデータストリームを構成する複数のパケットのうち、前記音声データが存在する範囲を示す範囲識別データを含むパケットを第１のグループに振り分け、残余のパケットを第２のグループに振り分け、
前記第１のグループに属するパケットを、所定のアクセス装置以外からのアクセスを実質的に阻止する第１の記憶領域に格納し、
前記第２のグループに属するパケットを第２の記憶領域に格納する、
ことを特徴とする。
【００１８】
各々の前記音声データは、それぞれ１個のＰＥＳ（Packetized Elementary Stream）パケットに属していてもよい。
この場合、前記範囲識別データは、前記データストリーム内で前記ＰＥＳパケットが存在する範囲を示すペイロードユニットスタートインジケータより構成されていてもよい。
【００１９】
また、この発明の第３の観点に係るプログラムは、
コンピュータを、
音声を表す音声データを１つ以上含むデータストリームを取得し、取得したデータストリームを構成する複数のパケットのうち、前記音声データが存在する範囲を示す範囲識別データを含むパケットを第１のグループに振り分け、残余のパケットを第２のグループに振り分ける間引き手段と、
前記間引き手段以外からのアクセスを実質的に阻止する第１の記憶領域を有する第１の記憶手段と、
第２の記憶領域を有する第２の記憶手段と、して機能させるためのプログラムであって、
前記間引き手段は、前記第１のグループに属するパケットを前記第１の記憶領域に格納し、前記第２のグループに属するパケットを第２の記憶領域に格納する、
ことを特徴とする。
【００２０】
【発明の実施の形態】
以下、この発明の実施の形態を、図面を参照して説明する。
図１は、この発明の実施の形態に係るデジタル放送レコーダの構成を示す図である。図示するように、このデジタル放送レコーダは、マザーボード１と、マザーボード用ストレージ２と、受信ユニット３とより構成されている。マザーボード用ストレージ２はマザーボード１に接続されており、受信ユニット３は、接続バスＢを介してマザーボード１に接続されている。
【００２１】
マザーボード１は、たとえば、ＣＰＵ（Central Processing Unit）等からなるプロセッサと、ＲＡＭ（Random Access Memory）等からなるメモリと、バスコントローラと、を備える。なお、接続バスＢは、ＰＣＩ（Peripheral Component
Interface）バスからなる。
マザーボード１のメモリは、マザーボード１のプロセッサのワークエリアとなる記憶領域を有する。マザーボード１のバスコントローラは、マザーボード１のプロセッサとマザーボード１の外部の装置との間での接続バスＢを介したデータ交換を制御するための制御回路からなる。
【００２２】
マザーボード１は、マザーボード用ストレージ２に記憶されている放送記録再生プログラムを読み出し、この放送記録再生プログラムに従って後述する処理を行う。
放送記録再生プログラムが制御する処理は、機能的には複数の処理ブロックを含んでいる。具体的には、図４や図７を参照して後述するデマルチプレクサ１Ａ、ストリーム間引きブロック１Ｂ、ストリーム合成ブロック１Ｃ、ストレージ記録ブロック１Ｄ、ＡＡＣ（Advanced Audio Coding）デコードブロック１Ｅ及びストレージ読み出しブロック１Ｆ、の各処理ブロックを含んでいる。
【００２３】
マザーボード用ストレージ２は、ハードディスク装置等より構成されていて、上述の放送記録再生プログラムを予め記憶している。そして、マザーボード１からのアクセスに従い、マザーボード１が供給するデータを記憶したり、自己が記憶しているデータを読み出してマザーボード１に供給したりする。
【００２４】
受信ユニット３は、デジタル放送受信部３１と、ＰＣＩバスブリッジ３２と、コンテンツ保存用内部メモリ３３と、ＩＤＥ（Intelligent Drive Electronics）バスブリッジ３４とを備える。
【００２５】
デジタル放送受信部３１は、復調回路より構成されており、内部バスを介してＰＣＩバスブリッジ３２に接続されている。デジタル放送受信部３１は、外部よりデジタル放送された、データストリームを表す変調波を入力して復調することにより、データストリームを構成するＴＳ（Transport Stream）パケットを復元する。そして、復元されたＴＳパケットを、ＰＣＩバスブリッジ３２及び接続バスＢを介してマザーボード１に供給する。
【００２６】
デジタル放送受信部３１が受信する変調波が表すデータストリームは、画像や音声などからなるコンテンツを表しており、図２に示すように、連続した複数のＴＳパケットより構成されている。
ＴＳパケットはコンテンツをなす画像あるいは音声などを表すパケットであり、図２に示すデータ構造を有している。すなわち、ＴＳパケットは、ＴＳパケットヘッダと、ＴＳパケットヘッダに後続するペイロード部（アダプテーション／ペイロード部）とより構成される。
【００２７】
ペイロード部は、コンテンツを表すデータを含む部分である。図３に示すように、各ペイロード部は、同一のフレームの画像（又は同一の音声など）を構成するデータを含むもの同士を、これらのペイロード部が含まれているＴＳパケットが並んでいた順で互いに連結することにより、後述するＰＥＳ（Packetized Elementary Stream）パケットを形成できるようになっている。
【００２８】
ＴＳパケットヘッダは、図２に示すように、先頭より順に、同期バイト、ＴＳエラーデータ、ペイロードユニットスタートインジケータ、トランスポート優先度データ、ＰＩＤ（Program IDentifier）、トランスポートスクランブル制御データ、アダプテーションフィールド制御データ及び連続性指標を含む。
【００２９】
このうち、ペイロードユニットスタートインジケータは、当該ペイロードユニットスタートインジケータ自身が含まれているＴＳパケットのペイロード部が、ＰＥＳパケットの先頭のデータを含むか否かを示す。具体的には、たとえば、ペイロードユニットスタートインジケータの値が「１」である場合、当該ペイロードユニットスタートインジケータ自身が含まれているＴＳパケットのペイロード部がＰＥＳパケットの先頭のデータを含むことを示し、「０」である場合は、当該ペイロード部がＰＥＳパケットの先頭のデータを含まないことを示す。
【００３０】
従って、１個のＰＥＳパケットは、たとえば、データストリーム中、値が「１」であるペイロードユニットスタートインジケータを含むＴＳパケット以降、値が「１」のペイロードユニットスタートインジケータを含む次のＴＳパケットの直前のＴＳパケットまでの連続する各ＴＳパケットのペイロード部同士を連結することにより生成される。
【００３１】
また、ＰＩＤは、当該ＰＩＤ自身が含まれているＴＳパケットのペイロード部がどのコンテンツを表すか（たとえば、どの音声ＥＳ（後述）を表すか）を識別するデータである。
【００３２】
そして、ＰＥＳパケットは、図３に示すように、ＰＥＳヘッダと、ＰＥＳデータとを含んでいる。
【００３３】
このうちＰＥＳデータは、画像、音声あるいはその他のコンテンツを表すデータからなる。ＰＥＳデータが音声を表す場合、１個のＰＥＳデータは、たとえば図３に示すように、１個のＡＤＴＳ（Audio Data Transport Stream）より構成される。
【００３４】
ＡＤＴＳは、ひと続きの音声を表す、ＡＡＣ形式の音声データ（又はＡＡＣ形式の音声データと実質的に同一のデータ構造を有する音声データ）からなっている。図３に示すように、ＡＤＴＳは、互いに連結することにより、コンテンツを表すデータストリームである音声ＥＳ（Elementary Stream）を形成できるようになっている。
【００３５】
物理的構成の説明に戻ると、ＰＣＩバスブリッジ３２は、バスコントローラ等より構成されており、接続バスＢを介してマザーボード１に接続されており、また、内部バスを介してＩＤＥバスブリッジ３４及びデジタル放送受信部３１に接続されている。
【００３６】
ＰＣＩバスブリッジ３２は、マザーボード１が放送記録再生プログラムの制御に従って行う、コンテンツ保存用内部メモリ３３へのアクセスを媒介する。また、また、デジタル放送受信部３１からコンテンツ保存用内部メモリ３３へのデータの供給を媒介する。
【００３７】
コンテンツ保存用内部メモリ３３は、コンパクトフラッシュ（登録商標）メモリ等の不揮発性メモリと、ＩＤＥバスを介したデータの伝送を行うためのインターフェース回路とより構成されている。
【００３８】
ＩＤＥバスブリッジ３４は、バスコントローラ等より構成されており、内部バスを介してＰＣＩバスブリッジ３２に接続され、一方でＩＤＥバスを介してコンテンツ保存用内部メモリ３３に接続されている。ＩＤＥバスブリッジ３４は、マザーボード１が放送記録再生プログラムの制御に従って行う、コンテンツ保存用内部メモリ３３へのアクセスを媒介する。
【００３９】
なお、ＰＣＩバスブリッジ３２及びＩＤＥバスブリッジ３４は、マザーボード１が放送記録再生プログラムの制御に従わずにコンテンツ保存用内部メモリ３３へとアクセスしても、このアクセスを実質的に阻止する。
【００４０】
（動作）
次に、このデジタル放送レコーダの動作を説明する。
図４は、コンテンツを記録する処理の流れを示す図である。
図５は、ストリーム間引きブロックの処理を示すフローチャートである。
図７は、記録したコンテンツを再生する処理の流れを示す図である。
【００４１】
（コンテンツの記録）
受信ユニット３のデジタル放送受信部３１に、データストリームを表す変調波が供給されると、デジタル放送受信部３１は、この変調波を復調することによりデータストリームを復元して、復元されたデータストリームを、ＰＣＩバスブリッジ及び接続バスＢを介し、マザーボード１に供給する。
【００４２】
一方、マザーボード１は、たとえば外部から操作者の操作に従って供給される録画の指示に応答して、放送記録再生プログラムをマザーボード用ストレージ２より読み出して実行する。
【００４３】
放送記録再生プログラムを実行するマザーボード１は、データストリームを供給されると（すなわち、ＴＳパケットを順次供給されると）、デマルチプレクサ１Ａの制御に従って、このＴＳパケットを、図４に示すように、ストリーム合成ブロック１Ｃ及びストリーム間引きブロック１Ｂの各処理ブロックに引き渡す。
【００４４】
ＴＳパケットがデマルチプレクサ１Ａからストリーム合成ブロック１Ｃに引き渡された場合（つまり、このデジタル放送レコーダがデジタル放送を受信した場合）、マザーボード１はストリーム合成ブロック１Ｃの制御に従い、このＴＳパケットに特に処理を加えないまま、このＴＳパケットをＡＡＣデコードブロック１Ｅに引き渡す。
【００４５】
ＡＡＣデコードブロック１ＥにＴＳパケットが引き渡されると、マザーボード１は、ＡＡＣデコードブロック１Ｅの制御に従い、このＴＳパケットが表す画像や音声をデコードし、図４に示すように、たとえばＰＣＭ（Pulse Code Modulation）信号などの音声信号などからなるコンテンツデータとして出力する。
【００４６】
一方、マザーボード１は、ストリーム間引きブロック１Ｂの制御に従って、図５に示す処理を行う。
【００４７】
すなわち、マザーボード１は、ＴＳパケットがストリーム間引きブロック１Ｂに引き渡されると（図５、ステップＳ１）、このＴＳパケットに含まれるＰＩＤが、蓄積する対象の音声ＥＳを示すか否かを判別する（ステップＳ２）。そして、ＰＩＤが蓄積する対象の音声ＥＳを示すものでないと判別するとこのＰＩＤを含むＴＳパケットを破棄して、ストリーム間引きブロック１Ｂの処理をステップＳ１に戻す（すなわち、次のＴＳパケットをデマルチプレクサ１Ａからストリーム間引きブロック１Ｂへと引き渡す）。なお、蓄積する対象の音声ＥＳは、たとえば、外部から操作者の操作に従って供給されるデータにより指定されればよい。
【００４８】
一方、蓄積する対象の音声ＥＳを示すと判別すると、マザーボード１は、このＰＩＤを含むＴＳパケットが、間引き対象パケットであるか否かを判別する（ステップＳ３）。（なお、本明細書及び図面では、コンテンツ保存用内部メモリ３３に記憶させるためマザーボード１から受信ユニット３に供給されるＴＳパケットを間引き対象パケットと呼び、ストリーム間引きブロック１Ｂからストレージ記録ブロック１Ｄへと引き渡されるＴＳパケットを非間引き対象パケットと呼ぶ。）
【００４９】
具体的には、ステップＳ３でマザーボード１は、蓄積する対象の音声ＥＳを示すと判別されたＰＩＤを含むＴＳパケットについて、このＴＳパケットに含まれるペイロードユニットスタートインジケータの値が、ＰＥＳパケットの先頭を含むことを示す値であるか否かを判別する。
【００５０】
そして、判別の対象となったＴＳパケットが非間引き対象パケットである（具体的には、ＰＥＳパケットの先頭を含まないことを示す値である）と判別すると、このＴＳパケット（非間引き対象パケット）をストレージ記録ブロック１Ｄに引き渡して、ストリーム間引きブロック１Ｂの処理をステップＳ１に戻す。
【００５１】
一方、間引き対象パケットである（具体的には、ＰＥＳパケットの先頭を含むことを示す値である）と判別すると、マザーボード１は、間引き対象パケットと判別されたＴＳパケットを、受信ユニット３のコンテンツ保存用内部メモリ３３に書き込み（ステップＳ４）、ストリーム間引きブロック１Ｂの処理をステップＳ１に戻す。
【００５２】
なお、マザーボード１は、コンテンツ保存用内部メモリ３３への間引き対象パケットの書き込みを、ＰＣＩバスブリッジ３２及びＩＤＥバスブリッジ３４を介してコンテンツ保存用内部メモリ３３にアクセスすることにより行う。すなわち、マザーボード１がコンテンツ保存用内部メモリ３３にアクセスし、間引き対象パケットが受信ユニット３へと供給されると、受信ユニット３のＰＣＩバスブリッジ３２は、この間引き対象パケットをＩＤＥバスブリッジ３４へと供給し、ＩＤＥバスブリッジ３４はコンテンツ保存用内部メモリ３３にアクセスして、この間引き対象パケットを、コンテンツ保存用内部メモリ３３の記憶領域に格納する。
【００５３】
マザーボード１が図５に示すストリーム間引きブロック１Ｂの処理を行う結果、図６（Ａ）に示すように、データストリームから、ＡＤＴＳを含むＰＥＳパケットの先頭に相当する部分を含むＴＳパケットが間引き対象パケットと判断される。そして間引き対象パケットはコンテンツ保存用内部メモリ３３に記憶され、非間引き対象パケットはマザーボード用ストレージ２に記憶される。
【００５４】
図５に示す処理を行う一方、ストリーム間引きブロック１Ｂの処理を行うマザーボード１は、ストレージ記録ブロック１Ｄに非間引き対象パケットを引き渡すときは、受信ユニット３が受信した元のデータストリームのうち間引き対象パケットをダミーのパケットへと置換した置換済みデータストリームの形でストレージ記録ブロック１Ｄに引き渡す。ダミーのパケットは、たとえば、ＴＳパケットの所定の部分の値が、元のデータストリームに含まれているＴＳパケットの当該部分の値と異なる値であるようなパケットであればよい。
【００５５】
なお、ダミーのパケットのペイロード部の内容は、当該ダミーのパケットにより置換された間引き対象パケットのペイロード部の内容と異なるものとする。ダミーのパケットのペイロード部の内容と、当該ダミーのパケットの位置にあった間引き対象パケットのペイロード部の内容との間には、実質的に相関関係がないことが望ましい。
【００５６】
非間引き対象パケットがストレージ記録ブロック１Ｄへと引き渡されると、マザーボード１は、ストレージ記録ブロック１Ｄの制御に従ってマザーボード用ストレージ２にアクセスし、図４に示すように、この非間引き対象パケットを、マザーボード用ストレージ２の記憶領域に格納する。
【００５７】
また、ストリーム間引きブロック１Ｂの処理を行うマザーボード１は、それぞれの間引き対象パケットの、元のデータストリーム内での位置を示す位置情報テーブルを作成し、この位置情報テーブルもストレージ記録ブロック１Ｄへと引き渡す。マザーボード１は、この位置情報テーブルも、ストレージ記録ブロック１Ｄの制御に従ってマザーボード用ストレージ２の記憶領域に格納する。
【００５８】
なお、位置情報テーブルにより位置が表されている間引き対象パケットがどのコンテンツを表すものであるかを識別するため、マザーボード１は、たとえばこの位置情報テーブルを、この位置情報テーブルにより位置が表されている間引き対象パケットと共通のデータストリームから得られた非間引き対象パケットに対応付けて格納するようにすればよい。
【００５９】
（記録したコンテンツの再生）
記録されたコンテンツを再生する場合、マザーボード１は、たとえば外部から操作者の操作に従って供給されるコンテンツ再生の指示に応答して、放送記録再生プログラムをマザーボード用ストレージ２より読み出して実行する。
【００６０】
すると、マザーボード１は、ＰＣＩバスブリッジ３２及びＩＤＥバスブリッジ３４を介してコンテンツ保存用内部メモリ３３にアクセスし、間引き対象パケットを読み出す。読み出された間引き対象パケットはＩＤＥバスブリッジ３４に供給され、ＩＤＥバスブリッジ３４はこの間引き対象パケットをＰＣＩバスブリッジ３２に転送し、ＰＣＩバスブリッジ３２は、この間引き対象パケットを接続バスＢを介してマザーボード１に供給する。
なお、読み出す対象の間引き対象パケットは、たとえば、マザーボード用ストレージ２から、再生する対象のコンテンツを表す非間引き対象パケットに対応付けられた位置情報テーブルをストレージ読み出しブロック１Ｆの制御に従って読み出し、参照することにより特定すればよい。
【００６１】
マザーボード１は、図７に示すように、受信ユニット３から読み出した間引き対象パケットを、ストリーム合成ブロック１Ｃに引き渡す。
【００６２】
一方、マザーボード１は、間引き対象パケットがストリーム合成ブロック１Ｃに引き渡されると、表しているコンテンツがこの間引き対象パケットと共通する非間引き対象パケット（置換済みデータストリーム）を、マザーボード用ストレージ２より読み出す。
【００６３】
具体的には、マザーボード１は、たとえば、先に参照した位置情報テーブルに対応付けられている非間引き対象パケットを示す情報（たとえば、ファイル名や、格納されている記憶領域のアドレスなど）を、ストリーム合成ブロック１Ｃからストレージ読み出しブロック１Ｆに引き渡す。そして、ストレージ読み出しブロック１Ｆの制御に従ってマザーボード用ストレージ２にアクセスし、この情報により示される非間引き対象パケットをマザーボード用ストレージ２から読み出し、ストリーム合成ブロック１Ｃに引き渡す。
【００６４】
また、マザーボード１は、元のデータストリーム内でのこの間引き対象パケットの位置を示すテーブルも、ストリーム合成ブロック１Ｃやストレージ読み出しブロック１Ｆの制御に従ってマザーボード用ストレージ２より読み出す。
【００６５】
次に、マザーボード１は、ストリーム合成ブロック１Ｃの制御に従い、ストリーム合成ブロック１Ｃに引き渡された間引き対象パケット及び非間引き対象パケットの並び順を、読み出した位置情報テーブルの内容に従って、間引きが行われる前の状態へと復元する。具体的には、ストリーム合成ブロック１Ｃに引き渡された置換済みデータストリーム（すなわち、非間引き対象パケットの集合）に含まれるダミーのパケットを、読み出した位置情報テーブルによって当該ダミーのパケットの位置にあったと特定される間引き対象パケットに置換することにより、元のデータストリームを復元する。
そして、並び順が復元されたＴＳパケットを、図７に示すように、ＡＡＣデコードブロック１Ｅに引き渡す。
【００６６】
ＡＡＣデコードブロック１ＥにＴＳパケットが引き渡されると、マザーボード１は、ＡＡＣデコードブロック１Ｅの制御に従い、このＴＳパケットが表す音声をデコードし、図７に示すように、コンテンツデータとして出力する。
【００６７】
以上説明した動作を行うこのデジタル放送レコーダは、ＡＤＴＳを含むＰＥＳパケットを構成するデータをペイロード部に含むＴＳパケットのうちこのＰＥＳパケットの先頭部分を含むもの（間引き対象パケット）をコンテンツ保存用内部メモリ３３に記憶させる。そして、この間引き対象パケットは、放送記録再生プログラムの制御に従わずに読み出そうとしてもアクセスを実質的に阻止される。従って、たとえばマザーボード用ストレージ２を切り離し、外部のコンピュータ等を用い、マザーボード用ストレージ２の記憶内容に基づいて音声を再生しようとしても、ＰＥＳパケットの範囲が特定できず、音声が正しく再生できない。この結果、音声からなるコンテンツの保護が図られる。
【００６８】
また、このデジタル放送レコーダがコンテンツ保存用内部メモリ３３に記憶させる間引き対象パケットは、ＡＤＴＳを含むＴＳパケットの一部である。従って、コンテンツ保存用内部メモリ３３の記憶容量は、たとえばＡＤＴＳを含むＴＳパケットすべてをコンテンツ保存用内部メモリ３３に記憶させるような構成で必要となる記憶容量に比べて小さな量で済む。
【００６９】
なお、このデジタル放送レコーダの構成は上述のものに限られない。
たとえば、ＴＳパケットに含まれる音声データ（ＡＤＴＳを構成する音声データ）は、必ずしもＡＡＣ形式のデータでなくてもよく、たとえばＭＰ３（MPEG1 audio layer 3）形式のデータやＡＴＲＡＣ（Adaptive TRansform Acoustic Coding）形式のデータを含んでいてもよい。
【００７０】
また、受信ユニット３はコンテンツ保存用内部メモリ３３を複数備えてもよく、データストリームは３個以上のグループに振り分けられてもよい。
また、非間引き対象パケットは必ずしも置換済みデータストリームの形でマザーボード用ストレージ２に記憶される必要はない。すなわちダミーのパケットは必要なものではない。
【００７１】
また、ＡＤＴＳを含むＰＥＳパケットの先頭に相当する部分を含むＴＳパケットが必ずしもすべて間引き対象パケットとなる必要はなく、また、ＡＤＴＳを含むＰＥＳパケットの先頭に相当する部分を含まないＴＳパケットが間引き対象パケットになってもよい。
【００７２】
従って、マザーボード１は、上述のステップＳ３において、例えば図６（Ｂ）に示す基準で間引き対象パケットを決定してもよい。
すなわち、任意のＴＳパケットがデマルチプレクサ１Ａからストリーム間引きブロック１Ｂに引き渡されてからＴ秒間（Ｔは任意の正の数）のあいだにデマルチプレクサ１Ａからストリーム間引きブロック１Ｂに引き渡される各ＴＳパケットのうち、ＡＤＴＳを含むＰＥＳパケットの先頭に相当する部分を含む最初のＴＳパケットを間引き対象パケットとし、残りのＴＳパケットを非間引き対象パケットとしてもよい。（なお、図６（Ｂ）は、このＴ秒間の期間にストリーム間引きブロック１Ｂに引き渡される最初のＴＳパケットがＡＤＴＳを含むＰＥＳパケットの先頭に相当する部分を含んでいる場合、つまり当該最初のＴＳパケットが間引き対象パケットとなる場合を例示するものである。）
【００７３】
また、マザーボード１は、ステップＳ３で、例えば図６（Ｃ）に示す基準で間引き対象パケットを決定してもよい。
すなわち、任意のＴＳパケットがデマルチプレクサ１Ａからストリーム間引きブロック１Ｂに引き渡されてからＴ秒間のあいだにデマルチプレクサ１Ａからストリーム間引きブロック１Ｂに引き渡される各ＴＳパケットであってＡＤＴＳを含むＰＥＳパケットの先頭に相当する部分を含むＴＳパケットのうちの最初のＮ個（Ｎは任意の正の整数）を間引き対象パケットとし、残りのＴＳパケットを非間引き対象パケットとしてもよい。（なお、図６（Ｃ）は、このＴ秒間の期間にストリーム間引きブロック１Ｂに引き渡される最初のＴＳパケットがＡＤＴＳを含むＰＥＳパケットの先頭に相当する部分を含んでいて、Ｎの値が２である場合を例示するものである。）
【００７４】
また、マザーボード１は、ステップＳ３で、例えば図６（Ｄ）に示す基準で間引き対象パケットを決定してもよい。
すなわち、任意のＴＳパケットがデマルチプレクサ１Ａからストリーム間引きブロック１Ｂに引き渡されてからＴ秒間のあいだにデマルチプレクサ１Ａからストリーム間引きブロック１Ｂに引き渡される各ＴＳパケットのうちから、ＡＤＴＳ１個分全体のデータを含む連続したＴＳパケットの集合のうちの最初のもの（つまり、ＡＤＴＳを含むＰＥＳパケットの先頭に相当する部分を含む最初のＴＳパケットから、ＡＤＴＳを含むＰＥＳパケットの先頭に相当する部分を含む次のＴＳパケットの直前のＴＳパケットまでのＴＳパケットからなる集合）に属するＴＳパケットを間引き対象パケットとし、残りのＴＳパケットを非間引き対象パケットとしてもよい。（なお、図６（Ｄ）は、このＴ秒間の期間にストリーム間引きブロック１Ｂに引き渡される最初のＴＳパケットがＡＤＴＳを含むＰＥＳパケットの先頭に相当する部分を含んでいる場合を例示するものである。）
【００７５】
また、マザーボード１は、ステップＳ３で、例えば図６（Ｅ）に示す基準で間引き対象パケットを決定してもよい。
すなわち、任意のＴＳパケットがデマルチプレクサ１Ａからストリーム間引きブロック１Ｂに引き渡されてからＴ秒間のあいだにデマルチプレクサ１Ａからストリーム間引きブロック１Ｂに引き渡される各ＴＳパケットのうちから、ＡＤＴＳ１個分全体のデータを含む連続したＴＳパケットの集合のうちの最初のＭ個（Ｍは任意の正の整数）の集合に属するＴＳパケットを間引き対象パケットとし、残りのＴＳパケットを非間引き対象パケットとしてもよい。（なお、図６（Ｅ）は、このＴ秒間の期間にストリーム間引きブロック１Ｂに引き渡される最初のＴＳパケットがＡＤＴＳを含むＰＥＳパケットの先頭に相当する部分を含んでいて、Ｍの値が２である場合を例示するものである。）
【００７６】
なお、マザーボード１は、図６（Ｂ）〜図６（Ｅ）に示す基準で間引き対象ブロックを決定する場合は、例えば、上述したＴ秒間の期間の始点あるいは終点を判別するため、水晶発振回路等からなっていてプロセッサに現在時刻を示す情報を供給するタイマを備えていればよい。プロセッサを駆動するためのクロック信号の発生源となる発信回路等がタイマの機能を行ってもよい。
【００７７】
また、このデジタル放送レコーダは、マザーボード１が生成したコンテンツデータが表す音声を再生するための増幅回路やスピーカ等を備えていてもよい。増幅回路やスピーカ等がマザーボード１に搭載されていてもよい。
【００７８】
また、マザーボード１は、間引き対象パケットの位置を示す位置情報テーブルを当該間引き対象パケットに対応付けてコンテンツ保存用内部メモリ３３に格納するようにし、記録したコンテンツを再生するときは位置情報テーブルをコンテンツ保存用内部メモリ３３から読み出して用いるようにもよい。
【００７９】
また、接続バスＢは必ずしもＰＣＩバスに限られず任意の規格に準拠したバスであってよい。従って、接続バスＢは、たとえばPC Card Standardに準拠するバスからなっていてもよいし、ＩＳＡ（Industry Standard Architecture）バスからなっていてもよいし、ＵＳＢ（Universal Serial Bus）からなっていてもよい。ただし、受信ユニット３は、接続バスＢがＰＣＩバスでない場合、ＰＣＩバスブリッジ３２に代えて、接続バスＢが準拠する規格に適合したデータ交換を媒介するバスコントローラ等を備えるものとする。
【００８０】
また、コンテンツ保存用内部メモリ３３とＩＤＥバスブリッジ３４とを接続するバスは必ずしもＩＤＥバスに限られず任意の規格に準拠したバスであってよい。従って、このバスは、たとえばメモリ専用バスからなっていてもよい。ただし、受信ユニット３は、このバスがＩＤＥバスでない場合、ＩＤＥバスブリッジ３４に代えて、このバスが準拠する規格に適合したデータ交換を媒介するバスコントローラ等を備えるものとし、また、コンテンツ保存用内部メモリ３３が備えるインターフェース回路も、このバスが準拠する規格に適合したデータ交換を媒介するものとする。
【００８１】
また、マザーボード１は、コンテンツを記録するときは非間引き対象パケットを暗号化してからマザーボード用ストレージ２に記憶させ、記録したコンテンツを再生するときは、暗号化された非間引き対象パケットを読み出して復号化してからデータストリームの復元を行うようにしてもよい。
同様に、コンテンツを記録するときは間引き対象パケットを暗号化してからコンテンツ保存用内部メモリ３３に書き込み、記録したコンテンツを再生するときは、暗号化された間引き対象パケットを読み出して復号化してからデータストリームの復元を行うようにしてもよい。
【００８２】
以上、この発明の実施の形態を説明したが、この発明にかかるデータストリーム記録装置は、専用のシステムによらず、通常のコンピュータシステムを用いて実現可能である。
例えば、パーソナルコンピュータに上述のマザーボード１、マザーボード用ストレージ２及び受信ユニット３の動作を実行させるためのプログラムを格納した媒体（ＣＤ−ＲＯＭ、ＭＯ、ＦＤ等）から該プログラムをインストールすることにより、上述の処理を実行するデジタル放送レコーダを構成することができる。
【００８３】
また、例えば、通信回線の掲示板（ＢＢＳ）に該プログラムを掲示し、これを通信回線を介して配信してもよく、また、該プログラムを表す信号により搬送波を変調し、得られた変調波を伝送し、この変調波を受信した装置が変調波を復調して該プログラムを復元するようにしてもよい。
そして、該プログラムを起動し、ＯＳの制御下に、他のアプリケーションプログラムと同様に実行することにより、上述の処理を実行することができる。
【００８４】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【００８５】
【発明の効果】
以上説明したように、この発明によれば、データの保護が十分に図られるようにするためのデータストリーム記録装置及びデータストリーム記録方法が実現される。
【図面の簡単な説明】
【図１】この発明の実施の形態に係るデジタル放送レコーダの構成を示すブロック図である。
【図２】データストリーム及びＴＳパケットのデータ構造を示す図である。
【図３】ＰＥＳパケット及び音声ＥＳのデータ構造を示す図である。
【図４】コンテンツを記録する処理の流れを示す図である。
【図５】ストリーム間引きブロックの処理を示すフローチャートである。
【図６】（Ａ）〜（Ｅ）は、データストリームと間引き対象パケットとの関係を模式的に示す図である。
【図７】記録したコンテンツを再生する処理の流れを示す図である。
【符号の説明】
１      マザーボード
２      マザーボード用ストレージ
３      受信ユニット
３１      デジタル放送受信部
３２      ＰＣＩバスブリッジ
３３      コンテンツ保存用内部メモリ
３４      ＩＤＥバスブリッジ
Ｂ      接続バス
【図１】
0003747872.tif 000002
【図２】
0003747872.tif 000003
【図３】
0003747872.tif 000004
【図４】
0003747872.tif 000005
【図５】
0003747872.tif 000006
【図６】
0003747872.tif 000007
【図７】
0003747872.tif 000008